(57)【特許請求の範囲】
【請求項１】
（ａ）傘をややすぼめた位置で仮固定する第１工程、
（ｂ）金属板の上端に突起部分（１２）を有する断面Ｕ字型の金属板からなる補強金具（１１）を折れた傘骨にあてがう第２工程、
（ｃ）２本の脚部（１４）とこの脚部を繋ぐ円弧部分（１５）を有するかしめ具（１３）であって、前記脚部に設けられた相互に向き合った切り欠き（１６）を有するものを前記補強金具（１１）に当てて、前記切り欠き（１６）により、前記突起部分（１２）を内側に曲げて前記傘骨を包み込むようにかしめる第３工程、
を有することを特徴とする傘骨の修理方法。
【請求項２】
前記第１工程が、両端にフック（２，３）を有する紐（４）で、中棒の突起部（６ａ）と受け骨（７又は１７）の間を連結することからなる請求項１記載の方法。
【請求項３】
請求項１の第１工程で使用する仮固定具（５）であって、両端にフック（２，３）を有する紐（４）からなり、中棒の突起部（６ａ）と受け骨（７又は１７）の間を連結することを特徴とする仮固定具。
【請求項４】
紐（４）の長さが調節可能である請求項３記載の仮固定具。
【請求項５】
請求項１の第３工程で使用するかしめ具（１３）であって、２本の脚部（１４）とこの脚部を繋ぐ円弧部分（１５）を有し、前記脚部には相互に向き合った切り欠き（１６）が設けられていることを特徴とするかしめ具。
【発明の詳細な説明】
【０００１】
【発明の属する技術分野】
本発明は傘骨の修理方法及びそれに使用する器具に関する。
【０００２】
【従来の技術】
傘骨（親骨又は受骨）が折れたとき、折れた箇所の骨を包んで補強する金具が市販されている。外観は添付図面の図２の符号１１で示すような形状のもので、Ｕ字型の金属板の上端に４箇所程度突起部分１２がある。修理するときは、傘骨をＵ字型の溝に中に置き、この突起部分１２をペンチで締め上げることにより、傘骨をしっかりと包み込んでいる。なお、図２は本発明の修理方法を示す実施例であるが、補強金具１１自体は公知である。
【０００３】
【発明が解決しようとする課題】
この修理作業は、傘を広げた状態で行うことになるが、完全に広げた状態では傘骨と傘布が密着するため補強金具１１を設定するだけでも一苦労である。さらに補強金具の小さな上端突起１２をペンチでつまむのは相当に手慣れた人でなければ難しい。
【０００４】
本発明は、この修理作業を容易にするための方法とそれに使用する器具を提供しようとするものである。
【０００５】
【課題を解決するための手段】
本発明による傘骨の修理方法（請求項１）は、（ａ）傘をややすぼめた位置で仮固定する工程、（ｂ）金属板の上端に突起部分を有する断面Ｕ字型の金属板からなる補強金具を折れた傘骨にあてがう工程、（ｃ）２本の脚部とこの脚部を繋ぐ円弧部分を有するかしめ具であって、前記脚部に設けられた相互に向き合った切り欠きを有するものを前記補強金具に当てて、前記切り欠きにより、前記突起部分を内側に曲げて前記傘骨を包み込むようにかしめる工程、を有することを特徴とする。
【０００６】
本発明で使用する器具（請求項３）は、傘をややすぼめた位置で仮固定する工程で使用する仮固定具であって、両端にフックを有する紐からなり、中棒の突起部と受け骨の間を連結することを特徴とする。
【０００７】
本発明で使用する別の器具（請求項５）は、補強家具をかしめる工程で使用するかしめ具であって、２本の脚部とこの脚部を繋ぐ円弧部分を有し、前記脚部には相互に向き合った切り欠きが設けられていることを特徴とする。
【０００８】
【発明の実施の態様】
前記方法において、請求項１の第１工程には請求項３の仮固定具を使用することが好ましい。紐の部分が弾力性のあるゴム糸のようなものであれば、傘の大きさに関係なく、紐の長さの自動調節が可能である。また、弾力性のない紐であっても、調節スライドのような長さ調節具を取り付ければ同じ目的を達せられる。さらに、器具を使用せず指で押さえているだけでもよい。要するに請求項５のかしめ具が挿入できる程度の隙間ができればよいのである。
【０００９】
【実施例】
以下、添付の図面に基づき、本発明の実施例を説明する。
【００１０】
図１は、本発明による傘骨修理方法の第１工程を示す斜視図である。この工程では、まず、いったん傘１を広げ、その後、ややすぼめた位置で傘を仮固定する。本発明によるこの仮固定方法は、両端にフック２，３を有する紐４からなる仮固定具５で中棒の突起部６ａと受け骨７，１７の間を連結することを特徴とする。折畳み傘以外の最近の傘はバネ８の力を利用した自動開傘機能があるが、この紐４がバネ８の力と打ち消しあって傘は中途半端な位置で仮固定される。なお、自動開傘機能のついていない傘の場合でも、傘を図１のように逆さにして作業をすれば重力により傘が開こうとするのでこの仮固定具は使用可能である。
【００１１】
この位置では、親骨９と傘布１０の間が密着せず指が楽に入れられる程度の隙間ができる。そこで、第２工程として、折れた傘骨に断面Ｕ字型の金属板からなる補強金具１１をあてがう。従来技術の箇所で記したように、この補強金具１１は、金属板の上端に４箇所程度突起部分１２がある。傘骨にあてがうときにはこの突起部分１２が傘内部を向くようにする。
【００１２】
修理の第３工程は突起部分の締め上げである。この作業には、図２，３に示すような本発明のかしめ具１３を使用する。図３（ａ）はかしめ具の自然状態を示し、（ｂ）は変形させた状態を示す。このかしめ具は、全体が合成樹脂により一体成形され、図３（ａ）に示すように、２本の脚部１４，１４とこの脚部を繋ぐ円弧部分１５を有する。さらに、この２本の脚部には相互に向き合った切り欠き１６，１６が設けられていて、図３（ｂ）の変形状態では切り欠き同士が接触して孔を形成する。なお、図３（ｂ）の状態では円弧部分１５が変形することにより、図３（ａ）の状態に戻ろうとする復元力が生じる。なお、符号１７は位置決め用のノッチである。
【００１３】
補強金具の突起部分を締め上げるとき、図２に示すように、このかしめ具１３を補強金具１１にあて、前記切り欠き１６に突起部分１２を有する補強金具１１をはめる。その後、２本の脚部の上下から指で力を加えて図３（ｂ）の状態とする。切り欠き１６同士が接触するときには、補強金具１１もその突起部分１２も十分にかしめられ、傘骨は補強金具１１によりしっかりと包み込まれる。
【００１４】
【発明の効果】
本発明によれば、特別な訓練を必要とせず、誰でも簡単に傘骨の修理が可能となる。
【００１５】
特に、本発明第１工程で使用する仮固定具を使用すれば、ややすぼめた位置で傘を仮固定することができるので、修理作業が容易になる。
【００１６】
また、本発明第３工程で使用するかしめ具を使用すれば、大きなペンチを使用するときと異なり、補強金具のかしめ作業が容易になる。
【図面の簡単な説明】
【図１】本発明による傘骨修理方法の第１工程を示す斜視図である。
【図２】本発明による傘骨修理方法の第３工程を示す斜視図である。
【図３】（ａ）はかしめ具の自然状態を示し、（ｂ）は変形させた状態を示す側面図である。
【符号の説明】
１       傘
２，３   フック
４       紐
５       仮固定具
６       中棒
６ａ     中棒の突起部
７       骨
８       バネ
９       親骨
１０     傘布
１１     補強金具
１２     突起部分
１３     かしめ具
１５     円弧部分
１６     切り欠き
【図２】
0003935764.tif 000002
【図３】
0003935764.tif 000003
【図１】
0003935764.tif 000004